(57)【要約】【課題】ハウジング内に挿入された接続対象物を電磁波に対して確実に遮蔽することができ、しかも接続対象物を上下方向一方の向きで挿入するものと他方の向きで挿入するものをそれぞれ容易に製造することのできるコネクタを提供する。【解決手段】グランド用のシェル３０をハウジング１０の上面、下面及び両側面を覆うように形成したので、ハウジング１０内のケーブル１をハウジング１０の上面、下面及び両側面の何れの方向に対しても電気的に遮蔽することができ、電磁波障害の防止効果を格段に向上させることができる。この場合、ハウジング１０の上面側及び下面側にはシェル３０の上面側及び下面側がそれぞれ配置されるので、グランド用接触部３１をシェル３０の下面側ではなく上面側に設けることもでき、例えばケーブル１を上下方向一方の向きで挿入するものと他方の向きで挿入するものをそれぞれ容易に製造することが可能である。【選択図】図１
2005322470.tif 000002
【特許請求の範囲】
【請求項１】
互いに幅方向に間隔をおいて配置された複数の信号線用端子と、各端子を保持する絶縁性のハウジングと、ハウジングを覆う金属製のシェルとから構成され、接続対象物の一方の面に設けられた複数の信号線用導電部を各端子にそれぞれ接続するとともに、接続対象物の他方の面に設けられたグランド用導電部をシェルに接続するようにしたコネクタにおいて、
前記シェルをハウジングの上面、下面及び両側面を覆うように形成し、
シェルの上面側または下面側に接続対象物のグランド用導電部に接触するグランド用接触部を設けた
ことを特徴とするコネクタ。
【請求項２】
前記グランド用接触部をシェルの幅方向複数箇所に形成した
ことを特徴とする請求項１記載のコネクタ。
【請求項３】
前記グランド用接触部をシェルの一部を切り起こすことによって形成した
ことを特徴とする請求項１または２記載のコネクタ。
【請求項４】
前記ハウジングにシェルの一部が圧入される圧入部を設けた
ことを特徴とする請求項１、２または３記載のコネクタ。
【発明の詳細な説明】
【技術分野】
【０００１】
本発明は、例えばフレキシブルフラットケーブル（ＦＦＣ）またはフレキシブルプリント回路（ＦＰＣ）等の接続対象物を回路基板と接続するためのコネクタに関するものである。
【背景技術】
【０００２】
従来、この種のコネクタとしては、互いに幅方向に間隔をおいて配置された複数の信号線用の端子と、各端子を保持する絶縁性のハウジングと、ハウジングの上面及び左右両側面を覆う金属製のシェルとから構成され、シェルを回路基板のグランド部に接続するようにしたものが知られている（例えば、特許文献１参照。）。また、このコネクタに接続される接続対象物は、シート状に形成された絶縁性のケーブル本体の一方の面に互いに幅方向に間隔をおいて複数の信号線用導電部が設けられるとともに、ケーブル本体の他方の面にはグランド用の導電層を介して金属製の補強板が取付けられており、補強板によってグランド用導電部が形成されている。
【０００３】
前記コネクタでは、接続対象物を一端側から挿入すると、接続対象物の各信号線用導電部に各端子が下方から接触するとともに、接続対象物のグランド用導電部がシェルの上面側に接触し、接続対象物の各信号線用導電部及びグランド用導電部がそれぞれ回路基板に電気的に接続されるようになっている。
【特許文献１】特開２００３−２７２７７４号公報
【発明の開示】
【発明が解決しようとする課題】
【０００４】
しかしながら、前記コネクタでは、シェルがハウジングの上面及び左右両側面のみを覆うように形成されているため、ハウジングの下面側を電気的に遮蔽することができず、ＥＭＩ（Electro Magnetic Interference：電磁波障害）対策が十分でないという問題点があった。また、前記コネクタのシェルはハウジングの下面側に対応する部分を有していないため、グランド用導電部をシェルの上面側にしか設けることができず、グランド用導電部を下向きにして接続対象物を挿入するように構成することができないという問題点もあった。
【０００５】
本発明は前記問題点に鑑みてなされたものであり、その目的とするところは、ハウジング内に挿入された接続対象物を電磁波に対して確実に遮蔽することができ、しかも接続対象物を上下方向一方の向きで挿入するものと他方の向きで挿入するものをそれぞれ容易に製造することのできるコネクタを提供することにある。
【課題を解決するための手段】
【０００６】
本発明は前記目的を達成するために、請求項１では、互いに幅方向に間隔をおいて配置された複数の信号線用端子と、各端子を保持する絶縁性のハウジングと、ハウジングを覆う金属製のシェルとから構成され、接続対象物の一方の面に設けられた複数の信号線用導電部を各端子にそれぞれ接続するとともに、接続対象物の他方の面に設けられたグランド用導電部をシェルに接続するようにしたコネクタにおいて、前記シェルをハウジングの上面、下面及び両側面を覆うように形成し、シェルの上面側または下面側に接続対象物のグランド用導電部に接触するグランド用接触部を設けている。
【０００７】
これにより、ハウジングの上面、下面及び両側面がシェルによって覆われることから、ハウジング内の接続対象物がハウジングの上面、下面及び両側面の何れの方向に対しても電気的に遮蔽される。
【発明の効果】
【０００８】
本発明のコネクタによれば、ハウジング内の接続対象物をハウジングの上面、下面及び両側面の何れの方向に対しても電気的に遮蔽することができるので、電磁波障害の防止効果を格段に向上させることができ、例えばマイクロストリップライン構造を有するＦＦＣまたはＦＰＣとの接続に極めて有利である。
【発明を実施するための最良の形態】
【０００９】
図１乃至図１１は本発明の一実施形態を示すもので、図１はコネクタの正面側斜視図、図２はその背面側斜視図、図３はハウジングの正面側斜視図、図４はシェルの背面側斜視図、図５はコネクタの側面断面図、図６はケーブル挿入状態を示すコネクタの側面断面図、図７はコネクタの分解側面断面図、図８はフレキシブルフラットケーブルの平面図、図９はその一方の面側を示す要部平面図、図１０はその他方の面側を示す要部平面図、図１１はその側面断面図である。
【００１０】
このコネクタは、接続対象物としてのフレキシブルフラットケーブル１（以下、ケーブル１という。）の一端側を挿入可能なハウジング１０と、ハウジング１０内に互いに幅方向に間隔をおいて配置された複数の端子２０と、ハウジングを覆うシェル３０とから構成されている。
【００１１】
ケーブル１は、シート状に形成された絶縁性のケーブル本体２と、ケーブル本体２の一方の面に互いに幅方向に間隔をおいて設けられた複数の信号線用導電部３と、ケーブル本体２の他方の面に配置された補強板４と、補強板４とケーブル本体２との間に配置されたシート状の導電体５と、補強板４の一方の面に設けられたグランド用導電部６と、ケーブル本体２をその端部を除いて被覆するシールド部材７と、各信号線用導電部３をその先端側から所定長さＬだけ除いた部分を覆う絶縁被覆８とからなる。この場合、導電体５の一端側は補強板４の一方の面側に折り返され、その折り返し部分によってグランド用導電部６が形成されている。また、シールド部材７は導電体５と導通している。
【００１２】
ハウジング１０は合成樹脂の成型品からなり、前面側を開口した箱状に形成されている。即ち、ハウジング１０は、上面部１１、底面部１２及び左右側面部１３からなり、前面側開口部からケーブル１が挿入されるようになっている。ハウジング１０の背面側には複数の端子孔１４が互いに幅方向に等間隔で設けられ、各端子孔１４には各端子２０がそれぞれ保持されるようになっている。また、ハウジング１０内には前後方向略中央部から前方に延びる複数の突片１５が互いに幅方向に間隔をおいて設けられ、各突片１５と底面部１２との間はシェル３０の一部が圧入される圧入部を形成している。
【００１３】
各端子２０は導電性の金属板からなり、ハウジング１０の各端子孔１４にそれぞれ保持されている。各端子２０は、互いに上下方向に間隔をおいて前方に二股状に延びる弾性片部２１及び固定片部２２を有し、その後端には図示しない基板に接続される基板接続部２３が設けられている。
【００１４】
シェル３０は導電性の金属からなり、ハウジング１０の上面、下面及び両側面を覆うように横長の環状に形成されている。この場合、シェル３０は、細長い板状部材を略長方形状に折り曲げ、その両端をハウジング１０の下面中央部で突き合わせることによって形成される。シェル３０の下面側は幅方向両端以外の部分がハウジング１０の底面よりもやや上方に位置するように形成され、その幅方向複数箇所にはケーブル１のグランド用導電部６に接触するグランド用接触部３１が設けられている。この場合、各グランド用接触部３１はシェル３０の下面側の一部を上方に切り起こすことによって形成され、各グランド用接触部３１の間にはハウジング１０の各突片１５と底面部１２との間に圧入される固定片３２がそれぞれ設けられている。また、シェル３０の幅方向両端には、図示しない基板に接続される基板接続部３３がそれぞれ設けられている。
【００１５】
以上のように構成されたコネクタにおいては、図６に示すようにケーブル１の一端側をその一方の面（信号線用導電部３側の面）を上方に向けてハウジング１０に前方から挿入すると、ケーブル１の各信号線用導電部３が各端子２０の弾性片部２１にそれぞれ接触し、ケーブル１のグランド用導電部６がシェル３０の各グランド用接触部３１に接触する。その際、ケーブル１との圧接により、各弾性片部２１が上方に弾性変形し、各グランド用接触部３１が下方に弾性変形する。これにより、ケーブル１の各信号線が各端子２０を介して基板の信号線用導電部（図示せず）に導通し、ケーブル１のグランドがシェル３０を介して基板のグランド用導電部（図示せず）に導通する。その際、ハウジング１０の上面、下面及び両側面がシェル３０によって覆われることから、ハウジング１０内のケーブル１がハウジング１０の上面、下面及び両側面の何れの方向に対しても電気的に遮蔽される。
【００１６】
このように、本実施形態のコネクタによれば、グランド用のシェル３０をハウジング１０の上面、下面及び両側面を覆うように形成したので、ハウジング１０内のケーブル１をハウジング１０の上面、下面及び両側面の何れの方向に対しても電気的に遮蔽することができ、電磁波障害の防止効果を格段に向上させることができる。
【００１７】
この場合、ハウジング１０の上面側及び下面側にはシェル３０の上面側及び下面側がそれぞれ配置されるので、グランド用接触部３１をシェル３０の下面側ではなく上面側に設けることもでき、例えばケーブル１を上下方向一方の向きで挿入するものと他方の向きで挿入するものをそれぞれ容易に製造することが可能である。
【００１８】
また、グランド用接触部３１をシェル３０の幅方向複数箇所に設けたので、シェル３０をケーブル１のグランド用導電部６に複数箇所で接触させることができ、ケーブル１のグランド用導電部６とシェル３０とを確実に導通させることができる。
【００１９】
更に、グランド用接触部３１をシェル３０の一部を切り起こすことによって形成したので、打ち抜き加工等によってグランド用接触部３１をシェル３０に容易に形成することができる。この場合、切り起こし部分の弾性によりグランド用接触部３１をケーブル１に圧接させることができ、グランド用接触部３１とケーブル１との接続信頼性を高めることができる。
【００２０】
また、ハウジング１０の各突片１５と底面部１２との間にシェル３０の固定片３３を圧入することにより、シェル３０をハウジング１０に固定するようにしたので、複雑な構造を用いることなくシェル３０をハウジング１０に確実に組付けることができ、製造上極めて有利である。
【００２１】
尚、前記実施形態では、フレキシブルフラットケーブル１を接続する場合を示したが、フレキシブルプリント回路（ＦＰＣ）を接続することも可能である。
【図面の簡単な説明】
【００２２】
【図１】本発明の一実施形態を示すコネクタの正面側斜視図
【図２】コネクタの背面側斜視図
【図３】ハウジングの正面側斜視図
【図４】シェルの背面側斜視図
【図５】コネクタの側面断面図
【図６】ケーブル挿入状態を示すコネクタの側面断面図
【図７】コネクタの分解側面断面図
【図８】フレキシブルフラットケーブルの平面図
【図９】フレキシブルフラットケーブルの一方の面側を示す要部平面図
【図１０】フレキシブルフラットケーブルの他方の面側を示す要部平面図
【図１１】フレキシブルフラットケーブルの側面断面図
【符号の説明】
【００２３】
１…フレキシブルフラットケーブル、３…信号線用導電部、６…グランド用導電部、１０…ハウジング、１５…突片、２０…端子、３０…シェル、３１…グランド用接触部。
【図１】
2005322470.tif 000003
【図２】
2005322470.tif 000004
【図３】
2005322470.tif 000005
【図４】
2005322470.tif 000006
【図５】
2005322470.tif 000007
【図６】
2005322470.tif 000008
【図７】
2005322470.tif 000009
【図８】
2005322470.tif 000010
【図９】
2005322470.tif 000011
【図１０】
2005322470.tif 000012
【図１１】
2005322470.tif 000013